(57)【要約】【課題】端末が基地局と競合ベースのランダムアクセス過程を実行する方法及び装置を提供する。【解決手段】方法は、ランダムアクセスプリアンブルメッセージを前記基地局に送信する段階、前記基地局から時間同期命令を含むランダムアクセス応答を受信する段階、端末時間同期タイマの状態を決定する段階、及び前記決定する段階において前記端末時間同期タイマが動作中であると決定される場合、前記時間同期命令を無視する段階；を含む。【選択図】図８
2011509019.tif 000002
【特許請求の範囲】
【請求項１】
端末が基地局と競合ベースのランダムアクセス過程を実行する方法において、
ランダムアクセスプリアンブルメッセージを前記基地局に送信する段階；
前記基地局から時間同期命令を含むランダムアクセス応答を受信する段階；
端末時間同期タイマの状態を決定する段階；及び
前記決定する段階において前記端末時間同期タイマが動作中であると決定される場合、前記時間同期命令を無視する段階；を含む方法。
【請求項２】
前記時間同期命令は、前記端末時間同期タイマを調整、開始、または再開始するように設定する請求項１に記載の方法。
【請求項３】
前記基地局にスケジューリングされたメッセージを送信して競合解決を開始する段階をさらに含む請求項１に記載の方法。
【請求項４】
前記端末時間同期タイマが動作しない、或いは満了されたと決定される場合、前記時間同期命令を前記端末時間同期タイマに適用する段階をさらに含む請求項１に記載の方法。
【請求項５】
前記時間同期命令を無視する段階は、前記ランダムアクセス応答を介して受信された前記時間同期命令を格納することである請求項１に記載の方法。
【請求項６】
競合解決の完了前に前記端末時間同期タイマが満了される場合、前記格納された時間同期命令を適用する段階をさらに含む請求項５に記載の方法。
【請求項７】
競合解決が失敗する場合、前記時間同期命令を廃棄して前記端末時間同期タイマを中断しない段階をさらに含む請求項１に記載の方法。
【請求項８】
前記端末時間同期タイマを中断しない段階は、以前に割り当てられたリソースを維持する段階を含む請求項７に記載の方法。
【請求項９】
前記割り当てられたリソースを維持する段階は、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持する段階を含む請求項８に記載の方法。
【請求項１０】
基地局と競合ベースのランダムアクセス過程を実行する端末において、
ディスプレー部；
送受信機；及び
前記ディスプレー部及び前記送受信機と動作可能に連結されるプロセッサを含み、前記プロセッサは、時間同期タイマを含み、
前記プロセッサは、
ランダムアクセスプリアンブルメッセージを前記基地局に送信して、
前記基地局から時間同期命令を含むランダムアクセス応答を受信して、
時間同期タイマの状態を決定して、及び
前記決定する段階において前記時間同期タイマが動作中であると決定される場合、前記時間同期命令を無視するように設定される端末。
【請求項１１】
前記時間同期命令は、前記時間同期タイマを調整、開始、または再開始するように設定する請求項１０に記載の端末。
【請求項１２】
前記プロセッサは、前記時間同期タイマが動作しない、或いは満了されたと決定される場合、前記時間同期命令を前記時間同期タイマに適用するようにさらに設定される請求項１０に記載の端末。
【請求項１３】
前記プロセッサは、競合解決が失敗する場合、前記時間同期命令を廃棄して前記時間同期タイマを中断しないように設定される請求項１０に記載の端末。
【請求項１４】
前記プロセッサは、前記時間同期タイマが中断されない場合、以前に割り当てられたリソースを維持するように設定される請求項１３に記載の端末。
【請求項１５】
前記プロセッサは、前記時間同期タイマが中断されない場合、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持する請求項１４に記載の端末。
【発明の詳細な説明】
【技術分野】
【０００１】
本発明は、無線通信に関し、無線通信システムにおけるランダムアクセス過程を介してアップリンク同期化を実行する方法に関する。
【背景技術】
【０００２】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術に基づく３ＧＰＰ（３ｒｄ  Ｇｅｎｅｒａｔｉｏｎ  Ｐａｒｔｎｅｒｓｈｉｐ  Ｐｒｏｊｅｃｔ）移動通信システムは、全世界で広範囲に展開されている。ＷＣＤＭＡの最初進化段階と定義することができるＨＳＤＰＡ（Ｈｉｇｈ  Ｓｐｅｅｄ  Ｄｏｗｎｌｉｎｋ  Ｐａｃｋｅｔ  Ａｃｃｅｓｓ）は、中期的な（ｍｉｄ−ｔｅｒｍ）未来において高い競争力を有する無線接続技術を３ＧＰＰに提供する。然しながら、ユーザ及び事業者の要求事項及び期待が持続的に増加して、競争する無線接続技術開発が進行されているため、今後競争力を有するためには３ＧＰＰにおける新しい技術進化が要求される。ビット当たり費用減少、サービス可用性増大、融通性のある周波数バンドの使用、単純構造と開放型インターフェース、端末の適切なパワー消耗などが要求されている。
【０００３】
一般的に、一つの基地局には一つ以上のセルが配置される。一つのセルには複数の端末が位置することができる。一般的に、端末は、ネットワーク（ｎｅｔｗｏｒｋ）に接続するためにランダムアクセス過程を実行する。ランダムアクセス過程は、端末とネットワークとの間のアップリンク同期を合せたり、アップリンク無線リソース割当要求など、多様な目的として使われる。
【０００４】
ランダムアクセス過程は、端末がランダムアクセスプリアンブルを送信することによって開始される。端末は、予め決められた６４個のランダムアクセスプリアンブルのうち任意に一つのランダムアクセスプリアンブルを選択して、選択したランダムアクセスプリアンブルを送信する。６４個のランダムアクセスプリアンブルのうち一つを任意に選択するが、同時に二つ以上の端末が同じランダムアクセスプリアンブルを用いてランダムアクセス過程を実行することができる。これを競合ベースのランダムアクセス過程という。反対に、各端末に専用ランダムアクセスプリアンブルを付与することを非競合ベースのランダムアクセス過程という。
【０００５】
ランダムアクセス過程を実行する目的のうち一つは、アップリンク同期を実行するためである。然しながら、競合ベースのランダムアクセス過程において端末間の衝突は、基地局と端末との間の競合が解決されるまで、その発生如何が分からない。従って、衝突が発生したにもかかわらず、端末が基地局から送信される時間同期情報（ｔｉｍｅ  ａｌｉｇｎｍｅｎｔ  ｉｎｆｏｒｍａｔｉｏｎ）を介してアップリンク同期化を実行する場合、端末は誤った同期化を実行する結果を招くことができる。誤ったアップリンク同期化を実行した端末は、他の端末に干渉として作用する可能性があり、これは通信システムの信頼性低下につながることもできる。
【発明の概要】
【発明が解決しようとする課題】
【０００６】
競合ベースのランダムアクセス過程において競合で失敗した端末が誤ったアップリンク同期化を実行することを防止する方法を提供する。
【０００７】
ランダムアクセス過程における誤った時間同期補正によって他の端末に干渉を起こさない方法を提供する。
【課題を解決するための手段】
【０００８】
本発明の一態様において、端末が基地局と競合ベースのランダムアクセス過程を実行する方法を提供する。前記方法は、ランダムアクセスプリアンブルメッセージを前記基地局に送信する段階；前記基地局から時間同期命令（Ｔｉｍｅ  Ａｄｖａｎｃｅ  Ｃｏｍｍａｎｄ）を含むランダムアクセス応答を受信する段階；端末時間同期タイマの状態を決定する段階；及び前記決定する段階において前記端末時間同期タイマが動作中であると決定される場合、前記時間同期命令を無視する段階；を含む。
【０００９】
本発明の一態様において、前記時間同期命令は、前記端末時間同期タイマを調整、開始、または再開始するように設定する。
【００１０】
本発明の一態様において、前記方法は、前記基地局にスケジューリングされたメッセージを送信して競合解決を開始する段階をさらに含む。
【００１１】
本発明の一態様において、前記方法は、前記端末時間同期タイマが動作しない、或いは満了されたと決定される場合、前記時間同期命令を前記端末時間同期タイマに適用する段階をさらに含む。
【００１２】
本発明の一態様において、前記時間同期命令を無視する段階は、前記ランダムアクセス応答を介して受信された前記時間同期命令を格納する。
【００１３】
本発明の一態様において、前記方法は、競合解決の完了前に前記端末時間同期タイマが満了される場合、前記格納された時間同期命令を適用する段階をさらに含む。
【００１４】
本発明の一態様において、前記方法は、競合解決が失敗する場合、前記時間同期命令を廃棄して前記端末時間同期タイマを中断しない段階をさらに含む。
【００１５】
本発明の一態様において、前記端末時間同期タイマを中断しない段階は、以前に割り当てられたリソースを維持する段階を含む。
【００１６】
本発明の一態様において、前記割り当てられたリソースを維持する段階は、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持する段階を含む。
【００１７】
本発明の一態様において、基地局と競合ベースのランダムアクセス過程を実行する端末を提供する。前記端末は、ディスプレー部；送受信機；及び前記ディスプレー部及び前記送受信機と動作可能に連結されるプロセッサを含み、前記プロセッサは、時間同期タイマを含み、前記プロセッサは、ランダムアクセスプリアンブルメッセージを前記基地局に送信して、前記基地局から時間同期命令（Ｔｉｍｅ  Ａｄｖａｎｃｅ  Ｃｏｍｍａｎｄ）を含むランダムアクセス応答を受信して、時間同期タイマの状態を決定して、及び前記決定する段階において前記時間同期タイマが動作中であると決定される場合、前記時間同期命令を無視するように設定される。
【００１８】
本発明の一態様において、前記時間同期命令は、前記時間同期タイマを調整、開始、または再開始するように設定する。
【００１９】
本発明の一態様において、前記プロセッサは、前記基地局にスケジューリングされたメッセージを送信して競合解決を開始するように設定される。
【００２０】
本発明の一態様において、前記プロセッサは、前記時間同期タイマが動作しない、或いは満了されたと決定される場合、前記時間同期命令を前記時間同期タイマに適用するように設定される。
【００２１】
本発明の一態様において、前記プロセッサは、前記ランダムアクセス応答を介して受信された前記時間同期命令を格納するように設定される。
【００２２】
本発明の一態様において、前記プロセッサは、競合解決の完了前に前記時間同期タイマが満了される場合、前記格納された時間同期命令を適用するように設定される。
【００２３】
本発明の一態様において、前記プロセッサは、競合解決が失敗する場合、前記時間同期命令を廃棄して前記時間同期タイマを中断しないように設定される。
【００２４】
本発明の一態様において、前記プロセッサは、前記時間同期タイマが中断されない場合、以前に割り当てられたリソースを維持するように設定される。
【００２５】
本発明の一態様において、前記プロセッサは、時間同期タイマが中断されない場合、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持するように設定される。
【００２６】
本発明の一態様において、端末が基地局と競合ベースのランダムアクセス過程を実行する方法を提供する。前記方法は、ランダムアクセスプリアンブルメッセージを前記基地局に送信する段階；前記基地局から時間同期命令（Ｔｉｍｅ  Ａｄｖａｎｃｅ  Ｃｏｍｍａｎｄ）を含むランダムアクセス応答を受信する段階；端末時間同期タイマの状態を決定する段階；及び前記決定する段階において前記端末時間同期タイマが動作中であると決定される場合、前記時間同期命令を無視して前記動作中である端末時間同期タイマに応じて前記基地局にスケジューリングされたメッセージを送信する段階；を含む。
【００２７】
本発明の一態様において、前記方法は、前記端末時間同期タイマが動作中ではない、或いは満了されたと決定される場合、前記端末時間同期タイマが再開始するように前記時間同期命令を適用して、及び前記再開始された端末時間同期タイマに応じて前記基地局にスケジューリングされたメッセージを送信する段階をさらに含む。
【発明の効果】
【００２８】
ランダムアクセス過程において端末が競合に失敗するとしても、誤ったアップリンク同期化によるアップリンク送信失敗及び他の端末への干渉作用を防止することができる。
【図面の簡単な説明】
【００２９】
【図１】無線通信システムの構造を示すブロック図である。
【図２】Ｅ−ＵＴＲＡＮとＥＰＣとの間の機能分割を示すブロック図である。
【図３】本発明の実施例に係る端末の要素を示すブロック図である。
【図４】本発明の実施例に係るユーザ平面に対する無線プロトコル構造を示すブロック図である。
【図５】本発明の実施例に係る制御平面に対する無線プロトコル構造を示すブロック図である。
【図６】本発明の実施例に係るサブフレーム構造を示す図面である。
【図７】関連技術のランダムアクセス過程を示すメッセージシーケンスチャートである。
【図８】本発明の一実施例に係るランダムアクセス過程を示すメッセージシーケンスチャートである。
【図９】本発明の一実施例に係るランダムアクセス過程を示すメッセージシーケンスチャートである。
【発明を実施するための形態】
【００３０】
図１は、無線通信システムの構造を示すブロック図である。これはＥ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造であってもよい。Ｅ−ＵＭＴＳシステムは、ＬＴＥ（Ｌｏｎｇ  Ｔｅｒｍ  Ｅｖｏｌｕｔｉｏｎ）システムということもできる。無線通信システムは、音声、パケットデータなどのような多様な通信サービスを提供するために広く配置される。
【００３１】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）及びユーザ平面（ｕｓｅｒ  ｐｌａｎｅ）を提供する基地局（２０；Ｂａｓｅ  Ｓｔａｔｉｏｎ、ＢＳ）を含む。
【００３２】
端末（１０；Ｕｓｅｒ  Ｅｑｕｉｐｍｅｎｔ、ＵＥ）は、固定されたり移動性を有することができて、移動局（Ｍｏｂｉｌｅ  ｓｔａｔｉｏｎ；ＭＳ）、ユーザ端末（Ｕｓｅｒ  Ｔｅｒｍｉｎａｌ；ＵＴ）、加入者局（Ｓｕｂｓｃｒｉｂｅｒ  ｓｔａｔｉｏｎ；ＳＳ）、無線機器（Ｗｉｒｅｌｅｓｓ  Ｄｅｖｉｃｅ）等、他の用語で呼ばれることができる。基地局（２０）は、一般的に端末（１０）と通信する固定局（ｆｉｘｅｄ  ｓｔａｔｉｏｎ）をいい、ｅＮＢ（ｅｖｏｌｖｅｄ−ＮｏｄｅＢ）、無線基地システム（Ｂａｓｅ  Ｔｒａｎｓｃｅｉｖｅｒ  Ｓｙｓｔｅｍ；ＢＴＳ）、アクセスポイント（Ａｃｃｅｓｓ  Ｐｏｉｎｔ）等、他の用語で呼ばれることができる。一つの基地局（２０）には一つ以上のセルが存在できる。基地局（２０）間にはユーザトラフィックあるいは制御トラフィックの送信のためのインターフェースが使われることもできる。以下、ダウンリンク（ｄｏｗｎｌｉｎｋ）は、基地局（２０）から端末（１０）への通信を意味して、アップリンク（ｕｐｌｉｎｋ）は、端末（１０）から基地局（２０）への通信を意味する。
【００３３】
基地局（２０）は、Ｘ２インターフェースを介してお互いに連結される。また、基地局（２０）は、Ｓ１インターフェースを介してＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ、３０）と連結される。Ｓ１インターフェースは、基地局（２０）とＭＭＥ／ＳＡＥゲートウェイ（３０）との間に多対多関係（ｍａｎｙ−ｔｏ−ｍａｎｙ−ｒｅｌａｔｉｏｎ）をサポートする。
【００３４】
図２は、本発明の実施例に係るＥ−ＵＴＲＡＮとＥＰＣとの間の機能分割（ｆｕｎｃｔｉｏｎａｌ  ｓｐｌｉｔ）を示すブロック図である。
【００３５】
図２を参照すると、斜線を引いているブロックは、無線プロトコル階層（ｒａｄｉｏ  ｐｒｏｔｏｃｏｌ  ｌａｙｅｒ）を示して、斜線を引いていないブロックは、制御平面の機能的エンティティ（ｆｕｎｃｔｉｏｎａｌ  ｅｎｔｉｔｙ）を示す。
【００３６】
基地局は、次のような機能を実行する。（１）無線ベアラ制御（Ｒａｄｉｏ  Ｂｅａｒｅｒ  Ｃｏｎｔｒｏｌ）、無線許可制御（Ｒａｄｉｏ  Ａｄｍｉｓｓｉｏｎ  Ｃｏｎｔｒｏｌ）、連結移動性制御（Ｃｏｎｎｅｃｔｉｏｎ  Ｍｏｂｉｌｉｔｙ  Ｃｏｎｔｒｏｌ）、端末への動的リソース割当（ｄｙｎａｍｉｃ  ｒｅｓｏｕｒｃｅ  ａｌｌｏｃａｔｉｏｎ）のような無線リソース管理（Ｒａｄｉｏ  Ｒｅｓｏｕｒｃｅ  Ｍａｎａｇｅｍｅｎｔ；ＲＲＭ）機能、（２）ＩＰ（Ｉｎｔｅｒｎｅｔ  Ｐｒｏｔｏｃｏｌ）ヘッダ圧縮及びユーザデータストリームの解読（ｅｎｃｒｙｐｔｉｏｎ）、（３）Ｓ−ＧＷへのユーザ平面データのルーティング（ｒｏｕｔｉｎｇ）、（４）ページング（ｐａｇｉｎｇ）メッセージのスケジューリング及び送信、（５）ブロードキャスト（ｂｒｏａｄｃａｓｔ）情報のスケジューリング及び送信、（６）移動性及びスケジューリングのための測定と測定報告設定。
【００３７】
ＭＭＥは、次のような機能を実行する。（１）基地局にページングメッセージの配信、（２）セキュリティ制御（Ｓｅｃｕｒｉｔｙ  Ｃｏｎｔｒｏｌ）、（３）アイドル状態移動性制御（Ｉｄｌｅ  Ｓｔａｔｅ  Ｍｏｂｉｌｉｔｙ  Ｃｏｎｔｒｏｌ）、（４）ＳＡＥベアラ制御、（５）ＮＡＳ（Ｎｏｎ−Ａｃｃｅｓｓ  Ｓｔｒａｔｕｍ）シグナリングの暗号化（Ｃｉｐｈｅｒｉｎｇ）及び完全性保護（Ｉｎｔｅｇｒｉｔｙ  Ｐｒｏｔｅｃｔｉｏｎ）。
【００３８】
Ｓ−ＧＷは、次のような機能を実行する。（１）ページングに対するユーザ平面パケットの終点（ｔｅｒｍｉｎａｔｉｏｎ）、（２）端末移動性のサポートのためのユーザ平面スイッチング。
【００３９】
図３は、図８ないし図９の方法を実行する本発明の実施例に係る端末の要素を示すブロック図である。端末（５０）は、プロセッサ（ｐｒｏｃｅｓｓｏｒ、５１）、メモリ（ｍｅｍｏｒｙ、５２）、送受信機（ｔｒａｎｃｅｉｖｅｒ、５３）、ディスプレー部（ｄｉｓｐｌａｙ  ｕｎｉｔ、５４）、ユーザインターフェース部（ｕｓｅｒ  ｉｎｔｅｒｆａｃｅ  ｎｉｔ、５５）を含む。プロセッサ（５１）は、無線インターフェースプロトコルの階層が具現されて、制御平面及びユーザ平面を提供する。各階層の機能は、プロセッサ（５１）を介して具現されることができる。メモリ（５２）は、プロセッサ（５１）と連結されて、端末駆動システム、アプリケーション及び一般的なファイルを格納する。ディスプレー部（５４）は、端末の多様な情報をディスプレーして、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られた要素を使用することができる。ユーザインターフェース部（５５）は、キーパッドやタッチスクリーンなど、よく知られたユーザインターフェースの組合せによって構成されることができる。送受信機（５３）は、プロセッサと連結されて、無線信号（ｒａｄｉｏ  ｓｉｇｎａｌ）を送信及び／または受信する。
【００４０】
端末とネットワークとの間の無線インターフェースプロトコル（ｒａｄｉｏ  ｉｎｔｅｒｆａｃｅ  ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいてＬ１（第１の階層）、Ｌ２（第２の階層）、Ｌ３（第３の階層）に区分されることができる。このうち、第１の階層に属する物理階層は、物理チャネル（ｐｈｙｓｉｃａｌ  ｃｈａｎｎｅｌ）を用いた情報伝送サービス（ｉｎｆｏｒｍａｔｉｏｎ  ｔｒａｎｓｆｅｒ  ｓｅｒｖｉｃｅ）を提供して、第３の階層に位置する無線リソース制御（ｒａｄｉｏ  ｒｅｓｏｕｒｃｅ  ｃｏｎｔｒｏｌ；以下、ＲＲＣという）階層は、端末とネットワークとの間に無線リソースを制御する役割を実行する。このために、ＲＲＣ階層は、端末とネットワークとの間にＲＲＣメッセージをお互いに交換する。
【００４１】
図４は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図５は、制御平面（ｃｏｎｔｒｏｌ  ｐｌａｎｅ）に対する無線プロトコル構造を示すブロック図である。これは端末とＥ−ＵＴＲＡＮとの間の無線インターフェースプロトコルの構造を示す。データ平面は、ユーザデータ送信のためのプロトコルスタック（ｐｒｏｔｏｃｏｌ  ｓｔａｃｋ）であり、制御平面は、制御信号送信のためのプロトコルスタックである。
【００４２】
図４及び図５を参照すると、第１の階層である物理階層（ＰＨＹ（ｐｈｙｓｉｃａｌ）  ｌａｙｅｒ）は、物理チャネル（ｐｈｙｓｉｃａｌ  ｃｈａｎｎｅｌ）を用いて上位階層に情報伝送サービス（ｉｎｆｏｒｍａｔｉｏｎ  ｔｒａｎｓｆｅｒ  ｓｅｒｖｉｃｅ）を提供する。物理階層は、上位にあるメディアアクセス制御（Ｍｅｄｉｕｍ  Ａｃｃｅｓｓ  Ｃｏｎｔｒｏｌ；ＭＡＣ）階層とは伝送チャネル（ｔｒａｎｓｐｏｒｔ  ｃｈａｎｎｅｌ）を介して連結されており、この伝送チャネルを介してＭＡＣ階層と物理階層との間のデータが移動する。また、相違する物理階層間、即ち、送信側及び受信側の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調され、時間及び周波数を無線リソースとして活用することができる。
【００４３】
第２の階層のＭＡＣ階層は、論理チャネル（ｌｏｇｉｃａｌ  ｃｈａｎｎｅｌ）を介して上位階層である無線リンク制御（Ｒａｄｉｏ  Ｌｉｎｋ  Ｃｏｎｔｒｏｌ；ＲＬＣ）階層にサービスを提供する。第２の階層のＲＬＣ階層は、信頼性のあるデータの伝送をサポートする。ＲＬＣ階層にはデータの伝送方法に応じて透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３種類の動作モードが存在する。ＡＭ  ＲＬＣは、双方向データ送信サービスを提供して、ＲＬＣ  ＰＤＵ（Ｐｒｏｔｏｃｏｌ  Ｄａｔａ  Ｕｎｉｔ）の伝送失敗の際、再送信をサポートする。
【００４４】
第２の階層のＰＤＣＰ（Ｐａｃｋｅｔ  Ｄａｔａ  Ｃｏｎｖｅｒｇｅｎｃｅ  Ｐｒｏｔｏｃｏｌ）階層は、ＩＰｖ４やＩＰｖ６のようなＩＰ（Ｉｎｔｅｒｎｅｔ  Ｐｒｏｔｏｃｏｌ）パケット送信の際、帯域幅の小さい無線区間で効率的にパケットを送信するために、相対的に大きくて不必要な制御情報を含んでいるＩＰパケットヘッダサイズを減らすヘッダ圧縮（ｈｅａｄｅｒ  ｃｏｍｐｒｅｓｓｉｏｎ）機能を実行する。
【００４５】
第３の階層の無線リソース制御（Ｒａｄｉｏ  Ｒｅｓｏｕｒｃｅ  Ｃｏｎｔｒｏｌ；以下、ＲＲＣ）階層は、制御平面でのみ定義される。ＲＲＣ階層は、無線ベアラ（Ｒａｄｉｏ  Ｂｅａｒｅｒ；ＲＢ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連付けられて論理チャネル、伝送チャネル及び物理チャネルの制御を担当する。ＲＢは、端末とＥ−ＵＴＲＡＮとの間のデータ送信のために第２の階層によって提供されるサービスを意味する。端末のＲＲＣとネットワークのＲＲＣとの間にＲＲＣ接続（ＲＲＣ  Ｃｏｎｎｅｃｔｉｏｎ）がある場合、端末は、ＲＲＣ接続モード（ＲＲＣ  Ｃｏｎｎｅｃｔｅｄ  Ｍｏｄｅ）にあるようになり、そうでない場合、ＲＲＣアイドルモード（ＲＲＣ  Ｉｄｌｅ  Ｍｏｄｅ）にあるようになる。
【００４６】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）及び移動性管理（Ｍｏｂｉｌｉｔｙ  Ｍａｎａｇｅｍｅｎｔ）などの機能を実行する。
【００４７】
ネットワークから端末にデータを送信するダウンリンク伝送チャネル（ｔｒａｎｓｐｏｒｔ  ｃｈａｎｎｅｌ）には、システム情報（Ｓｙｓｔｅｍ  Ｉｎｆｏｒｍａｔｉｏｎ）を送信するＢＣＨ（Ｂｒｏａｄｃａｓｔ  Ｃｈａｎｎｅｌ）、ユーザトラフィックや制御メッセージを送信するＤＬ−ＳＣＨ（Ｄｏｗｎｌｉｎｋ−Ｓｈａｒｅｄ  Ｃｈａｎｎｅｌ）などがある。ダウンリンクマルチキャストまたはブロードキャストサービスのトラフィック、または制御メッセージの場合、ＤＬ−ＳＣＨを介して送信されることもでき、またはダウンリンクＭＣＨ（Ｍｕｌｔｉｃａｓｔ  Ｃｈａｎｎｅｌ）を介して送信されることもできる。端末からネットワークにデータを送信するアップリンク伝送チャネルには、初期制御メッセージを送信するＲＡＣＨ（Ｒａｎｄｏｍ  Ａｃｃｅｓｓ  Ｃｈａｎｎｅｌ）及び、ユーザトラフィックまたは制御メッセージを送信するＵＬ−ＳＣＨ（Ｕｐｌｉｎｋ−Ｓｈａｒｅｄ  Ｃｈａｎｎｅｌ）がある。
【００４８】
ダウンリンク伝送チャネルにマッピングされるダウンリンク物理チャネルには、ＢＣＨの情報を送信するＰＢＣＨ（Ｐｈｙｓｉｃａｌ  Ｂｒｏａｄｃａｓｔ  Ｃｈａｎｎｅｌ）、ＭＣＨの情報を送信するＰＭＣＨ（Ｐｈｙｓｉｃａｌ  Ｍｕｌｔｉｃａｓｔ  Ｃｈａｎｎｅｌ）、ＰＣＨ及びＤＬ−ＳＣＨの情報を送信するＰＤＳＣＨ（Ｐｈｙｓｉｃａｌ  Ｄｏｗｎｌｉｎｋ  ｓｈａｒｅｄ  Ｃｈａｎｎｅｌ）、また、ダウンリンクまたはアップリンクの無線リソース割当情報（ＤＬ／ＵＬ  Ｓｃｈｅｄｕｌｉｎｇ  Ｇｒａｎｔ）等のように第１の階層及び第２の階層から提供する制御情報を送信するＰＤＣＣＨ（Ｐｈｙｓｉｃａｌ  Ｄｏｗｎｌｉｎｋ  Ｃｏｎｔｒｏｌ  Ｃｈａｎｎｅｌ）がある。ＰＤＣＣＨは、ダウンリンクＬ１／Ｌ２制御チャネルともいう。アップリンク伝送チャネルにマッピングされるアップリンク物理チャネルには、ＵＬ−ＳＣＨの情報を送信するＰＵＳＣＨ（Ｐｈｙｓｉｃａｌ  Ｕｐｌｉｎｋ  Ｓｈａｒｅｄ  Ｃｈａｎｎｅｌ）、ＲＡＣＨ情報を送信するＰＲＡＣＨ（Ｐｈｙｓｉｃａｌ  Ｒａｎｄｏｍ  Ａｃｃｅｓｓ  Ｃｈａｎｎｅｌ）、また、ＨＡＲＱ  ＡＣＫ／ＮＡＣＫ信号、スケジューリング要求（Ｓｃｈｅｄｕｌｉｎｇ  Ｒｅｑｕｅｓｔ）信号、ＣＱＩ（Ｃｈａｎｎｅｌ  Ｑｕａｌｉｔｙ  Ｉｎｄｉｃａｔｏｒ）などのように第１の階層及び第２の階層から提供する制御情報を送信するＰＵＣＣＨ（Ｐｈｙｓｉｃａｌ  ｕｐｌｉｎｋ  ｃｏｎｔｒｏｌ  ｃｈａｎｎｅｌ）がある。
【００４９】
図６は、本発明の実施例に係るサブフレーム構造を示す。
【００５０】
図６を参照すると、物理チャネルは、時間領域上のＯＦＤＭシンボル及び周波数領域上のサブキャリア（ｓｕｂｃａｒｒｉｅｒ）で構成される。サブフレーム（ｓｕｂｆｒａｍｅ）は、複数のＯＦＤＭシンボル及び複数のサブキャリアを含む。サブフレームは、無線リソースを割り当てるための最小単位ということができる。一つのサブフレームは、複数のリソースブロック（ｒｅｓｏｕｒｃｅ  ｂｌｏｃｋ）で構成されて、一つのリソースブロックは、複数のサブキャリア（例えば、１２サブキャリア）で構成される。サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）（またはＬ１／Ｌ２制御チャネルともいう）が送信される領域とＰＤＳＣＨ（Ｐｈｙｓｉｃａｌ  Ｄｏｗｎｌｉｎｋ  Ｓｈａｒｅｄ  Ｃｈａｎｎｅｌ）が送信される領域に分けられ、例えば、サブフレームの前側の３個のＯＦＤＭシンボルがＰＤＣＣＨに割り当てられることができる。一つのサブフレームが送信される時間をＴＴＩ（Ｔｒａｎｓｍｉｓｓｉｏｎ  Ｔｉｍｅ  Ｉｎｔｅｒｖａｌ）という。例えば、１ＴＴＩ＝１ｍｓである。一つのサブフレームは、時間領域で２個のスロット（ｓｌｏｔ）に分けられることができ、１ＴＴＩ＝１ｍｓの時、１スロットは０．５ｍｓの長さを有する。
【００５１】
図７は、関連技術にともなうランダムアクセス過程を示すメッセージシーケンスチャートである。
【００５２】
ランダムアクセス過程は、（１）初期接続過程、（２）ハンドオーバー過程、（３）時間同期が合わない端末にダウンリンクデータを送信する場合、（４）時間同期が合わない端末がアップリンクにデータを送信する場合、（５）無線接続のエラー発生にともなう復旧時に実行されることができる。
【００５３】
図７を参照すると、端末は、複数のランダムアクセスプリアンブル（Ｒａｎｄｏｍ  Ａｃｃｅｓｓ  Ｐｒｅａｍｂｌｅ）のうち任意的にランダムアクセスプリアンブルを選択する。複数のランダムアクセスプリアンブルを生成するための情報は、システム情報の一部として受信されることができる。端末は、任意的に選択されたランダムアクセスプリアンブルをＰＲＡＣＨリソース（ＰＲＡＣＨ  ｒｅｓｏｕｒｃｅ）を用いて基地局に送信する（ステップ７１０）。
【００５４】
基地局は、前記端末からランダムアクセスプリアンブルを受信すると、端末にＤＬ−ＳＣＨを介してランダムアクセス応答を送信する（ステップ７２０）。ランダムアクセス応答は、アップリンクへの時間同期補正のための時間同期（ｔｉｍｅ  ａｌｉｇｎｍｅｎｔ）情報（これをＴｉｍｅ  Ａｄｖａｎｃｅ  Ｖａｌｕｅ、Ｔｉｍｉｎｇ  Ａｄｖａｎｃｅという）、アップリンク無線リソース割当、ランダムアクセスプリアンブルのインデックス情報（例、プリアンブル識別子（Ｐｒｅａｍｂｌｅ  Ｉｄ））、臨時Ｃ−ＲＮＴＩ（Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ）等を含むことができる。ランダムアクセス応答は、ＰＤＣＣＨ上のランダムアクセス識別子によって指示される。ランダムアクセス識別子は、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）ともいう。
【００５５】
ランダムアクセス応答を受信した後、端末は、時間同期情報に基づいて時間同期を補正することができる。然しながら、本発明の実施例では、端末がランダムアクセス応答の受信直後に時間同期を補正する代わりに、時間同期情報を臨時に格納し、一定条件（衝突解決など）を満たす場合に時間同期情報を適用して時間同期を補正することができる。この過程に対しては、図８を参考してより詳しく説明する。
【００５６】
端末は、スケジューリングされたメッセージを、ランダムアクセス応答内のアップリンク無線リソース割当を用いて、ＵＬ−ＳＣＨを介して、基地局に送信する（ステップ７３０）。
【００５７】
基地局は、前記スケジューリングされたメッセージを受信すると、衝突解決（Ｃｏｎｔｅｎｔｉｏｎ  Ｒｅｓｏｌｕｔｉｏｎ）メッセージを端末に送信する（ステップ７４０）。
【００５８】
以下、ランダムアクセス過程における衝突解決に対し、より詳しく説明する。
【００５９】
ランダムアクセス過程において衝突が発生する理由は、端末の数は多い反面、使用可能なランダムアクセスプリアンブルの数が限定されているためである。即ち、基地局は、全ての端末に各々の専用ランダムアクセスプリアンブルを提供し難い。従って、端末は、他の端末にも提供されたランダムアクセスプリアンブルの中から任意的に一つを選択して送信しなければならない。これに伴い、同じＰＲＡＣＨリソースを介して二つ以上の端末が同じランダムアクセスプリアンブルを選択して送信する場合が発生する。これを衝突状態という。
【００６０】
然しながら、基地局は、二つ以上の端末から送信された同じ二つ以上のランダムアクセスプリアンブルを、一つの端末から送信された一つのランダムアクセスプリアンブルと判断するようになる。また、受信したランダムアクセスプリアンブルに対して同じランダムアクセス応答を端末に送信する。
【００６１】
然しながら、衝突発生に応じて二つ以上の端末は、同じランダムアクセス応答を受信した状態であり、一つのランダムアクセス応答に応じて、各端末は、相違する動作を各々実行するようになる。即ち、ランダムアクセス応答に含まれた無線リソース割当を用いて、端末が相違するスケジューリングされたメッセージを同じ無線リソースに送信するようになる。従って、前記スケジューリングされたメッセージの送信は、全部失敗したり、端末の位置または送信パワーに応じて特定端末のスケジューリングされたメッセージのみが送信されることができる。
【００６２】
後者のように特定端末のみがスケジューリングされたメッセージの送信に成功した場合、二つ以上の端末は、全部自分のデータの送信が成功したと判断するようになる。従って、基地局は、競争で失敗した端末に失敗事実に対する情報を知らせなければならない。即ち、衝突解決（Ｃｏｎｔｅｎｔｉｏｎ  Ｒｅｓｏｌｕｔｉｏｎ）は、ランダムアクセス過程において端末間の衝突発生の際、衝突による競争における失敗または成功如何に対する情報を基地局が端末に知らせることである。
【００６３】
衝突解決方法には衝突解決タイマ（Ｃｏｎｔｅｎｔｉｏｎ  Ｒｅｓｏｌｕｔｉｏｎ  Ｔｉｍｅｒ）を用いる第１の方法及び、送信に成功した端末が識別子を送信する第２の方法がある。
【００６４】
第１の方法によると、端末は、ランダムアクセス過程以前に既に一意のセル識別子（例、Ｃ−ＲＮＴＩ）を有していることが要求される。既にセル識別子を有している端末は、ランダムアクセス応答に応じて自分のセル識別子を含んだデータを基地局に送信して、衝突解決タイマを開始する。また、衝突解決タイマが満了される前に、ＰＤＣＣＨ上に自分のセル識別子を含むデータを受信すると、端末は、自分が競争で成功したと判断して、ランダムアクセス過程を正常に終えるようになる。
【００６５】
もし、第１の方法で衝突解決タイマが満了される前に端末が自分のセル識別子が含まれたＰＤＣＣＨの送信を受けることができなくなると、その端末は、競争で失敗したと判断して、ランダムアクセス過程を再び実行したり上位階層に失敗事実を通報する。
【００６６】
衝突解決方法のうち、第２の方法は、端末がランダムアクセス過程以前に一意のセル識別子を有していない場合に使われる。即ち、端末がセル識別子を有していない場合、ランダムアクセス応答に含まれた無線リソース割当情報（ＵＬ  Ｇｒａｎｔ情報）に応じてセル識別子より上位識別子であるＳ−ＴＭＳＩ（臨時移動加入者識別番号、Ｔｅｍｐｏｒａｒｙ  Ｍｏｂｉｌｅ  Ｓｕｂｓｃｒｉｂｅｒ  Ｉｄｅｎｔｉｔｙ）またはＲａｎｄｏｍ  Ｉｄなどを含んで送信して、端末は衝突解決タイマを開始する。
【００６７】
衝突解決タイマが満了される前に自分の上位識別子の含まれたデータがＤＬ−ＳＣＨ（Ｄｏｗｎｌｉｎｋ  ｓｈａｒｅｄ  ｃｈａｎｎｅｌ）に送信される場合、その端末は、ランダムアクセス過程が成功したと判断する。反面、衝突解決タイマが満了される前に、自分の上位識別子の含まれたデータがＤＬ−ＳＣＨに送信されない場合、その端末は、ランダムアクセス過程が失敗したと判断する。
【００６８】
以下、時間同期（Ｔｉｍｅ  Ａｌｉｇｎｍｅｎｔ）及び時間同期補正に関して説明する。ランダムアクセス過程は、アップリンクの時間同期のための方法の一つである。
【００６９】
衝突が発生しない場合、ランダムアクセス過程を介する時間同期補正方法は、次の通りである。基地局は、端末の送信するランダムアクセスプリアンブルを用いて時間同期値（ｔｉｍｅ  ａｌｉｇｎｍｅｎｔ  ｖａｌｕｅ）を測定して、時間同期補正のための時間同期情報をランダムアクセス応答を介して端末に提供することができる。ランダムアクセス応答を受信した端末は、受信された時間同期情報を適用して、時間同期タイマ（Ｔｉｍｅ  Ａｌｉｇｎｍｅｎｔ  Ｔｉｍｅｒ）を開始または再開始する。
【００７０】
時間同期タイマが作動する間には、端末及び基地局は、お互いに時間同期が維持されていると仮定する。また、前記時間同期タイマが満了される場合、端末及び基地局は、お互いに時間同期が維持されていないと仮定する。基地局は、ランダムアクセスプリアンブルの以外の方法によって端末の時間同期値を測定することができ、必要に応じて端末に前記時間同期情報を提供することができる。
【００７１】
時間同期情報を受信した端末は、受信された時間同期情報を適用して、時間同期タイマを開始したり、再開始させる。また、時間同期タイマが満了された場合、端末は、ランダムアクセスプリアンブル送信以外の方法によってはアップリンクへの送信が禁止される。
【００７２】
然しながら、ランダムアクセス過程においては常に衝突の可能性が存在する。従って、端末には衝突によって誤った時間同期情報を適用する可能性が発生する。即ち、端末がランダムアクセスプリアンブルの送信前に既に時間同期が合っている場合、衝突によってアップリンクへの誤った送信が引き起こされ、誤った時間同期情報による時間同期補正が発生する。
【００７３】
以下、端末及び基地局は、アップリンク時間同期が合っている状況を仮定して説明する。この場合、端末及び基地局ではお互いに同期化された時間同期タイマが作動している。また、端末がアップリンクの無線リソースがなくアップリンクデータ送信が要求される状況であり、これに伴い端末がランダムアクセス過程を実行する状況を仮定する。
【００７４】
端末は、ランダムアクセスプリアンブルを基地局に送信して、ランダムアクセス応答を受信する。端末は、受信したランダムアクセス応答に含まれた時間同期情報を自分に適用させて、時間同期タイマを開始する。
【００７５】
然しながら、前記ランダムアクセス応答が衝突によって他の端末に送信されなければならないランダムアクセス応答である場合、端末は、誤った時間同期情報を受信するようになる。然しながら、ランダムアクセス応答に含まれた時間同期情報が適用されて時間同期タイマが作動されている端末は、端末と基地局との時間同期が合っていると判断する。これに伴い、端末は、ランダムアクセス応答情報を受信した時点以後にデータの受信の要求を受ける場合、上記の誤った時間同期に応じてアップリンクへの送信を試みるようになって他の端末の送信に干渉を起こすようになる。
【００７６】
従って、基地局との時間同期の合う端末がランダムアクセス過程を実行する場合、ランダムアクセス応答に含まれた時間同期情報を衝突解決以後に適用するようにする。即ち、端末は、衝突以後に時間同期情報を適用させた後、時間同期タイマを開始（ｓｔａｒｔ）または再開始（ｒｅｓｔａｒｔ）することができる。
【００７７】
図８は、本発明の一実施例に係るランダムアクセス過程を示すメッセージシーケンスチャートである。これはランダムアクセス過程を実行する端末が衝突による競争で成功した場合である。
【００７８】
図８を参照すると、端末は、基地局とアップリンクの時間同期化がされており、これにともなう時間同期タイマが作動している状態である（ステップ８１０）。即ち、端末は、有効な時間同期値を有しており、動作中である時間同期タイマを有している。
【００７９】
端末は、アップリンクの無線リソースがない状況でアップリンクへのデータ送信の要求を受ける場合、競争ベースのランダムアクセス過程を開始する。これに伴い、端末は、選択されたランダムアクセスプリアンブルを基地局に送信する（ステップ８２０）。基地局は、端末のランダムアクセスプリアンブルを受信した後、これに対する応答としてランダムアクセス応答を端末に送信する（ステップ８３０）。前記ランダムアクセス応答は、スケジューリングされたメッセージの送信のための無線リソース割当、プリアンブル識別子、時間同期情報、臨時セル識別子（Ｔｅｍｐｏｒａｒｙ  Ｃ−ＲＮＴＩ）などを含むことができる。
【００８０】
端末の時間同期タイマが動作中である場合、衝突解決の完了前までは、端末は、受信した時間同期情報を適用したり、時間同期タイマを再開始しない。その代りに、端末は、受信した時間同期情報をバッファに格納する。また、端末は、ランダムアクセス過程以前に有していた時間同期値と動作中である時間同期タイマの動作を維持する。即ち、端末は、受信された時間同期情報を無視して、ランダムアクセス過程が実行される前に使われた以前時間同期値を維持して、また現在動作中である時間同期タイマの動作を維持する。衝突解決の完了前まで時間同期タイマが満了される場合、端末は、格納された時間同期値を適用することができる。
【００８１】
端末は、受信されたランダムアクセス応答に含まれた無線リソース割当情報（ＵＬ  Ｇｒａｎｔ情報）を用いてＣ−ＲＮＴＩ、Ｓ−ＴＭＳＩまたはＲａｎｄｏｍ  Ｉｄなどの識別子を含むスケジューリングされたメッセージを基地局に送信する（ステップ８４０）。以後、端末は、端末の有していた衝突解決タイマが満了される前に、衝突解決メッセージを受信する（ステップ８５０）。
【００８２】
衝突解決タイマの満了前にデコーディング可能な衝突解決メッセージを受信した端末は、衝突による競争で成功したと判断する。即ち、受信された衝突解決メッセージが端末のセル識別子を含んだＰＤＣＣＨまたは自分の上位識別子（Ｓ−ＴＭＳＩまたはＲａｎｄｏｍ  Ｉｄ）を含んだＤＬ−ＳＣＨである場合、端末は自分が競争で成功したと判断する。
【００８３】
時間同期情報の受信後に端末の時間同期タイマが動作しない、或いは満了される場合、端末は、ランダムアクセス応答から獲得した時間同期情報を既存の時間同期値に適用する。また、時間同期タイマを再開始する（ステップ８６０）。
【００８４】
図９は、本発明の一実施例に係るランダムアクセス過程を示すメッセージシーケンスチャートである。これはランダムアクセス過程を実行する端末が衝突による競争で失敗した場合である。
【００８５】
図９を参照すると、端末は、基地局とアップリンクの時間同期化がされており、これにともなう時間同期タイマが作動している状態である（ステップ９１０）。端末は、選択されたランダムアクセスプリアンブルを基地局に送信する（ステップ９２０）。基地局は、端末のランダムアクセスプリアンブルを受信した後、これに対する応答としてランダムアクセス応答を端末に送信する（ステップ９３０）。端末は、衝突解決の完了前までは受信した時間同期情報を適用せず、時間同期タイマを再開始しない。また、受信した時間同期情報をバッファに格納する。また、端末は、ランダムアクセス過程以前に有していた時間同期値を維持して、また、動作中である時間同期タイマの動作を維持する。端末は、受信されたランダムアクセス応答に含まれた無線リソース割当情報（ＵＬ  Ｇｒａｎｔ情報）を用いてスケジューリングされたメッセージを基地局に送信する（ステップ９４０）。
【００８６】
端末は、スケジューリングされたメッセージを受信した後、衝突解決タイマを開始する（ステップ９５０）。図８に示された実施例とは異なり、衝突解決タイマが開始された後、衝突解決タイマが満了されるまで、端末は、基地局から自分の衝突解決メッセージを受信することができない。例えば、衝突メッセージに端末のセル識別子または上位識別子が含まれていない、或いは衝突解決タイマの満了前に端末のセル識別子または上位識別子が含まれた衝突メッセージを端末が受信することができない場合がある。この場合、端末は競争で失敗したと判断する。
【００８７】
端末は、衝突解決タイマが満了される場合、受信した時間同期情報を適用せずに廃棄する（ステップ９６０）。従って、既存の時間同期タイマの動作をそのまま維持する。従って、変更なしに時間同期タイマの既存動作が維持される。結果的に、以前に割り当てられたリソース（例えば、ＰＵＣＣＨ、ＳＲＳ（ｓｏｕｎｄｉｎｇ  ｒｅｆｅｒｅｎｃｅ  ｓｙｍｂｏｌ）、以前に設定されたダウンリンク割当及びＵＬグラント）が維持される。
【００８８】
端末が競合で失敗した場合、受信した時間同期情報を適用しない。従って、誤ったアップリンク同期化による送信エラーや干渉作用を減らすことができる。
【００８９】
図８ないし図９の方法は、図３に示された装置またはその他の装置によって実行されることができる。本発明は、ハードウェア、ソフトウェアまたはこれらの組合せによって具現されることができる。ハードウェア具現において、前述した機能を実行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロ・プロセッサ、他の電子ユニットまたはこれらの組合せによって具現されることができる。ソフトウェア具現において、前述した機能を実行するモジュールによって具現されることができる。ソフトウェアは、メモリユニットに格納されることができ、プロセッサによって実行される。メモリユニットやプロセッサは、当業者によく知られた多様な手段を採用することができる。
【００９０】
以上、本発明に対して実施例を参照して説明したが、該当技術分野の通常の知識を有する者は、本発明の技術的思想及び領域から外れない範囲内で本発明を多様に修正及び変更させて実施できることを理解することができる。従って、前述した実施例に限定されることではなく、本発明は、特許請求の範囲内の全ての実施例を含む。
【図１】
2011509019.tif 000003
【図２】
2011509019.tif 000004
【図３】
2011509019.tif 000005
【図４】
2011509019.tif 000006
【図５】
2011509019.tif 000007
【図６】
2011509019.tif 000008
【図７】
2011509019.tif 000009
【図８】
2011509019.tif 000010
【図９】
2011509019.tif 000011
【手続補正書】
【提出日】平成22年6月23日(2010.6.23)
【手続補正１】
【補正対象書類名】明細書
【補正対象項目名】００２７
【補正方法】変更
【補正の内容】
【００２７】
本発明の一態様において、前記方法は、前記端末時間同期タイマが動作中ではない、或いは満了されたと決定される場合、前記端末時間同期タイマが再開始するように前記時間同期命令を適用して、及び前記再開始された端末時間同期タイマに応じて前記基地局にスケジューリングされたメッセージを送信する段階をさらに含む。
（項目１）
端末が基地局と競合ベースのランダムアクセス過程を実行する方法において、
ランダムアクセスプリアンブルメッセージを前記基地局に送信する段階；
前記基地局から時間同期命令を含むランダムアクセス応答を受信する段階；
端末時間同期タイマの状態を決定する段階；及び
前記決定する段階において前記端末時間同期タイマが動作中であると決定される場合、前記時間同期命令を無視する段階；を含む方法。
（項目２）
前記時間同期命令は、前記端末時間同期タイマを調整、開始、または再開始するように設定する項目１に記載の方法。
（項目３）
前記基地局にスケジューリングされたメッセージを送信して競合解決を開始する段階をさらに含む項目１に記載の方法。
（項目４）
前記端末時間同期タイマが動作しない、或いは満了されたと決定される場合、前記時間同期命令を前記端末時間同期タイマに適用する段階をさらに含む項目１に記載の方法。
（項目５）
前記時間同期命令を無視する段階は、前記ランダムアクセス応答を介して受信された前記時間同期命令を格納することである項目１に記載の方法。
（項目６）
競合解決の完了前に前記端末時間同期タイマが満了される場合、前記格納された時間同期命令を適用する段階をさらに含む項目５に記載の方法。
（項目７）
競合解決が失敗する場合、前記時間同期命令を廃棄して前記端末時間同期タイマを中断しない段階をさらに含む項目１に記載の方法。
（項目８）
前記端末時間同期タイマを中断しない段階は、以前に割り当てられたリソースを維持する段階を含む項目７に記載の方法。
（項目９）
前記割り当てられたリソースを維持する段階は、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持する段階を含む項目８に記載の方法。
（項目１０）
基地局と競合ベースのランダムアクセス過程を実行する端末において、
ディスプレー部；
送受信機；及び
前記ディスプレー部及び前記送受信機と動作可能に連結されるプロセッサを含み、前記プロセッサは、時間同期タイマを含み、
前記プロセッサは、
ランダムアクセスプリアンブルメッセージを前記基地局に送信して、
前記基地局から時間同期命令を含むランダムアクセス応答を受信して、
時間同期タイマの状態を決定して、及び
前記決定する段階において前記時間同期タイマが動作中であると決定される場合、前記時間同期命令を無視するように設定される端末。
（項目１１）
前記時間同期命令は、前記時間同期タイマを調整、開始、または再開始するように設定する項目１０に記載の端末。
（項目１２）
前記プロセッサは、前記時間同期タイマが動作しない、或いは満了されたと決定される場合、前記時間同期命令を前記時間同期タイマに適用するようにさらに設定される項目１０に記載の端末。
（項目１３）
前記プロセッサは、競合解決が失敗する場合、前記時間同期命令を廃棄して前記時間同期タイマを中断しないように設定される項目１０に記載の端末。
（項目１４）
前記プロセッサは、前記時間同期タイマが中断されない場合、以前に割り当てられたリソースを維持するように設定される項目１３に記載の端末。
（項目１５）
前記プロセッサは、前記時間同期タイマが中断されない場合、ＰＵＣＣＨ（ｐｈｙｓｉｃａｌ  ｕｐｌｉｎｋ  ｃｏｎｔｒｏｌ  ｃｈａｎｎｅｌ）、ＳＲＳ（ｓｏｕｎｄｉｎｇ  ｒｅｆｅｒｅｎｃｅ  ｓｙｍｂｏｌ）、以前に設定されたダウンリンク割当及びアップリンクグラントを維持する項目１４に記載の端末。
【手続補正２】
【補正対象書類名】特許請求の範囲
【補正対象項目名】全文
【補正方法】変更
【補正の内容】
【特許請求の範囲】
【請求項１】
端末が基地局と競合ベースのランダムアクセス過程を実行する方法において、
ランダムアクセスプリアンブルメッセージを前記基地局に送信する段階；
前記基地局からアップリンクリソース割当及び時間同期命令（Ｔｉｍｅ  Ａｄｖａｎｃｅ  Ｃｏｍｍａｎｄ）を含むランダムアクセス応答を受信する段階；
端末時間同期タイマの状態を決定する段階；及び
前記決定する段階において前記端末時間同期タイマが動作中であると決定される場合、前記時間同期命令を無視する段階；を含む方法。
【請求項２】
前記時間同期命令は、前記端末時間同期タイマを調整、開始、または再開始するように設定する請求項１に記載の方法。
【請求項３】
前記基地局に前記アップリンクリソース割当を用いてスケジューリングされたメッセージを送信することによって、ランダムアクセス過程を試みる他の端末との競合解決を開始する段階をさらに含む請求項１に記載の方法。
【請求項４】
前記端末時間同期タイマが動作しない、或いは満了されたと決定される場合、前記時間同期命令を前記端末時間同期タイマに適用する段階をさらに含む請求項１に記載の方法。
【請求項５】
前記時間同期命令を無視する段階は、前記ランダムアクセス応答を介して受信された前記時間同期命令を格納することである請求項１に記載の方法。
【請求項６】
ランダムアクセス過程を試みる他の端末との競合解決の完了前に前記端末時間同期タイマが満了される場合、前記格納された時間同期命令を適用する段階をさらに含む請求項５に記載の方法。
【請求項７】
ランダムアクセス過程を試みる他の端末との競合解決が失敗する場合、前記時間同期命令を廃棄して前記端末時間同期タイマを中断しない段階をさらに含む請求項１に記載の方法。
【請求項８】
前記端末時間同期タイマを中断しない段階は、以前に割り当てられたリソースを維持する段階を含む請求項７に記載の方法。
【請求項９】
基地局と競合ベースのランダムアクセス過程を実行する端末において、
ディスプレー部；
送受信機；及び
前記ディスプレー部及び前記送受信機と動作可能に連結されるプロセッサを含み、前記プロセッサは、時間同期タイマを含み、
前記プロセッサは、
ランダムアクセスプリアンブルメッセージを前記基地局に送信して、
前記基地局からアップリンクリソース割当及び時間同期命令（Ｔｉｍｅ  Ａｄｖａｎｃｅ  Ｃｏｍｍａｎｄ）を含むランダムアクセス応答を受信して、
時間同期タイマの状態を決定して、及び
前記決定する段階において前記時間同期タイマが動作中であると決定される場合、前記時間同期命令を無視するように設定される端末。
【請求項１０】
前記時間同期命令は、前記時間同期タイマを調整、開始、または再開始するように設定する請求項９に記載の端末。
【請求項１１】
前記プロセッサは、前記基地局に前記アップリンクリソース割当を用いてスケジューリングされたメッセージを送信することによって、ランダムアクセス過程を試みる他の端末との競合解決を開始するようにさらに設定される請求項９に記載の端末。
【請求項１２】
前記プロセッサは、前記時間同期タイマが動作しない、或いは満了されたと決定される場合、前記時間同期命令を前記時間同期タイマに適用するようにさらに設定される請求項９に記載の端末。
【請求項１３】
前記プロセッサは、前記ランダムアクセス応答を介して受信された前記時間同期命令を格納するように設定される請求項９に記載の端末。
【請求項１４】
前記プロセッサは、ランダムアクセス過程を試みる他の端末との競合解決の完了前に前記時間同期タイマが満了される場合、前記格納された時間同期命令を適用するように設定される請求項１３に記載の端末。
【請求項１５】
前記プロセッサは、ランダムアクセス過程を試みる他の端末との競合解決が失敗する場合、前記時間同期命令を廃棄して前記時間同期タイマを中断しないように設定される請求項９に記載の端末。
【請求項１６】
前記プロセッサは、前記時間同期タイマが中断されない場合、以前に割り当てられたリソースを維持するように設定される請求項１５に記載の端末。
【請求項１７】
端末が基地局と競合ベースのランダムアクセス過程を実行する方法において、
ランダムアクセスプリアンブルメッセージを前記基地局に送信する段階；
前記基地局から時間同期命令（Ｔｉｍｅ  Ａｄｖａｎｃｅ  Ｃｏｍｍａｎｄ）を含むランダムアクセス応答を受信する段階；
端末時間同期タイマの状態を決定する段階；及び
前記決定する段階において前記端末時間同期タイマが動作中であると決定される場合、前記時間同期命令を無視して前記動作中である端末時間同期タイマに応じて前記基地局にスケジューリングされたメッセージを送信する段階；を含む方法。
【請求項１８】
前記端末時間同期タイマが動作中ではない、或いは満了されたと決定される場合、前記端末時間同期タイマが再開始するように前記時間同期命令を適用して、及び前記再開始された端末時間同期タイマに応じて前記基地局にスケジューリングされたメッセージを送信する段階をさらに含む請求項１７に記載の方法。
【国際調査報告】
2011509019.tif 000012
2011509019.tif 000013